(57)【要約】【課題】放電灯の長寿命化を図ることができる技術を提供する。【解決手段】駆動装置６００は、電極５２０ａ，５２０ｂに交番電流を供給する点灯回路６２０と、点灯回路６２０から供給される交番電流を制御する電流制御部７１２と、電極５２０ａ，５２０ｂにおける表面形状の変形を検知する変形検知部７２２と、表面形状の変形が検知された場合に交番電流を変調させる電流変調部７３２と、交番電流を変調させている間に表面形状の変形が検知された場合、交番電流を変調させる変調比率を増加させる変調増強部７３３とを備える。【選択図】図５
2010146842.tif 000002
【特許請求の範囲】
【請求項１】
第１および第２の電極の間に発生するアーク放電によって発光する放電灯を駆動する駆動装置であって、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と
を備える駆動装置。
【請求項２】
請求項１に記載の駆動装置であって、
前記第１および第２の電極における各電極は、
他方の電極に向けて延びた棒状の軸部と、
前記他方の電極に対向する前記軸部の先端に形成され、前記軸部よりも大きな径を有する塊状部と、
前記他方の電極に近接して前記塊状部に形成され、前記他方の電極に向けて突出する突起部と
を備え、
前記変形検知部は、前記第１および第２の電極における前記突起部の表面に形成された該突起部よりも小さな凹凸による変形を、前記表面形状の変形として検知し、
前記電流変調部は、前記電流制御部によって制御される交番電流を変調させることによって、前記第１および第２の電極の少なくとも一方における前記突起部に形成された凹凸を溶融させる、駆動装置。
【請求項３】
請求項１または請求項２に記載の駆動装置であって、更に、
前記第１および第２の電極における劣化の進行状況を検知する劣化検知部と、
前記進行検知部によって検知された劣化の進行状況に応じて、前記変調増強部による前記変調比率の増加を抑制する変調抑制部と
を備える駆動装置。
【請求項４】
請求項１ないし請求項３のいずれかに記載の駆動装置であって、更に、前記電流変調部によって前記交番電流を変調させている間に、前記変形検知部によって前記表面形状の変形が検知されない場合、前記電流変調部によって変調された交番電流を元に戻す電流復調部を備える駆動装置。
【請求項５】
請求項１ないし請求項４のいずれかに記載の駆動装置であって、前記電流変調部は、前記第１および第２の電極における一方の電極が陽極として動作する陽極期間中に該電極に供給される電力エネルギを増加させる第１の変調部を含む駆動装置。
【請求項６】
請求項５に記載の駆動装置であって、前記第１の変調部は、前記一方の電極が陽極として動作する陽極期間の延長、前記陽極期間中に前記一方の電極に供給される電流値の増加のうち少なくとも一方を実行することによって、前記一方の電極に供給される電力エネルギを増加させる駆動装置。
【請求項７】
請求項１ないし請求項６のいずれかに記載の駆動装置であって、前記電流変調部は、前記第１および第２の電極における一方の電極が陽極として動作する陽極期間中に該電極に供給される電力エネルギを該陽極期間の後半に偏在させる第２の変調部を含む駆動装置。
【請求項８】
請求項１ないし請求項７のいずれかに記載の駆動装置であって、前記電流制御部は、前記第１および第２の電極がそれぞれ陽極として動作する陽極期間の比率である陽極デューティ比を上下に繰り返し変動させると共に、該陽極デューティ比の上下の切り替わりに同期して、前記交番電流の極性を交互に切り替える極性切替周期を伸縮させることによって、前記点灯回路から供給される交番電流を制御する駆動装置。
【請求項９】
光を放出する光源装置であって、
第１および第２の電極の間に発生するアーク放電によって発光する放電灯と、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と
を備える光源装置。
【請求項１０】
映像を投影するプロジェクタであって、
前記映像を表現する投影光の光源として、第１および第２の電極の間に発生するアーク放電によって発光する放電灯と、
前記第１および第２の電極に交番電流を供給する点灯回路と、
前記点灯回路から供給される交番電流を制御する電流制御部と、
前記第１および第２の電極における表面形状の変形を検知する変形検知部と、
前記変形検知部によって前記表面形状の変形が検知された場合、前記電流制御部によって制御される交番電流を変調させる電流変調部と、
前記電流変調部によって前記交番電流を変調させている間に、前記変形検知部によって前記表面形状の変形が検知された場合、前記電流変調部が前記交番電流を変調させる変調比率を増加させる変調増強部と
を備えるプロジェクタ。
【請求項１１】
第１および第２の電極の間に発生するアーク放電によって発光する放電灯を駆動する駆動方法であって、
前記第１および第２の電極に交番電流を供給し、
前記第１および第２の電極における表面形状の変形を検知し、
前記表面形状の変形を検知した場合、前記第１および第２の電極に供給される交番電流を変調させ、
前記交番電流を変調させている間に、前記表面形状の変形を検知した場合、前記交番電流を変調させる変調比率を増加させる、駆動方法。
【発明の詳細な説明】
【技術分野】
【０００１】
本発明は、放電灯を駆動する技術に関する。
【背景技術】
【０００２】
プロジェクタ（投影装置）の光源に利用される放電灯には、高圧水銀ランプ、メタルハライドランプ、高圧ナトリウムランプなどの高輝度放電ランプ（ＨＩＤランプ［High Intensity Discharge Lamp］）が知られている。一般的に、プロジェクタにおける放電灯は、交番電流（交流）の供給を受けて、二つの電極間に発生するアーク放電によって発光する。放電灯の各電極には、電極間のアーク放電を安定化させるために、アークの起点となる突起部が形成されている。電極における突起部の縮小や消失は、フリッカ（Flicker）やアークジャンプ（Arc Jump）の要因となる。フリッカは、アークの起点が不規則に移動することによって、放電灯から放出される光がちらつく現象であり、アークジャンプは、アークの起点が移動してアーク長が長くなることによって、放電灯から放出される光の照度が低下する現象である。
【０００３】
従来、フリッカやアークジャンプの要因となる突起部の縮小や消失を防止するために、電極の温度を調整することによって突起部を維持する技術（特許文献１ないし特許文献５）が提案されていた。
【０００４】
【特許文献１】特開２００５−３２７７４４号公報
【特許文献２】特開２００４−３９５６３号公報
【特許文献３】特開２００６−１２０６５４号公報
【特許文献４】国際公開第２００４／０６６６８７号パンフレット
【特許文献５】特開２００３−２６４０９４号公報
【発明の開示】
【発明が解決しようとする課題】
【０００５】
しかしながら、従来の技術では、電極の突起部を維持することができるものの、放電灯の点灯時間が増えるに従って、突起部の表面に凹凸が発生し、その凹凸によって突起部が変形してしまうという問題があった。凹凸による突起部の変形は、突起部の縮小や消失と同様に、フリッカやアークジャンプの要因となってしまう。
【０００６】
本発明は、上記した課題を踏まえ、放電灯の長寿命化を図ることができる技術を提供することを目的とする。
【課題を解決するための手段】
【０００７】
本発明は、上述の課題の少なくとも一部を解決するためになされたものであり、以下の形態または適用例として実現することが可能である。
【０００８】
［適用例１］  適用例１の駆動装置は、第１および第２の電極の間に発生するアーク放電によって発光する放電灯を駆動する駆動装置であって、前記第１および第２の電極に交番電流を供給する点灯回路と、前記点灯回路から供給される交番電流を制御する電流制御部と、前記第１および第２の電極における表面形状の変形を検知する変形検知部と、前記変形検知部によって前記表面形状の変形が検知された場合、前記電流制御部によって制御される交番電流を変調させる電流変調部と、前記電流変調部によって前記交番電流を変調させている間に、前記変形検知部によって前記表面形状の変形が検知された場合、前記電流変調部が前記交番電流を変調させる変調比率を増加させる変調増強部とを備えることを特徴とする。適用例１の駆動装置によれば、第１および第２の電極における表面形状の変形に応じて、これらの電極に供給される交番電流の変調比率を増加させることができる。これによって、第１および第２の電極の溶融不足および溶融過剰を防止しながら、第１および第２の電極を補修することができる。その結果、放電灯の長寿命化を図ることができる。
【０００９】
［適用例２］  適用例１の駆動装置において、前記第１および第２の電極における各電極は、他方の電極に向けて延びた棒状の軸部と、前記他方の電極に対向する前記軸部の先端に形成され、前記軸部よりも大きな径を有する塊状部と、前記他方の電極に近接して前記塊状部に形成され、前記他方の電極に向けて突出する突起部とを備え、前記変形検知部は、前記第１および第２の電極における前記突起部の表面に形成された該突起部よりも小さな凹凸による変形を、前記表面形状の変形として検知し、前記電流変調部は、前記電流制御部によって制御される交番電流を変調させることによって、前記第１および第２の電極の少なくとも一方における前記突起部に形成された凹凸を溶融させるとしても良い。適用例２の駆動装置によれば、第１および第２の電極における突起部の形状を維持させながら、その突起部に形成された凹凸を溶融させることができる。これによって、溶融過剰による突起部の縮小や消失を防止することができる。
【００１０】
［適用例３］  適用例１または適用例２の駆動装置は、更に、前記第１および第２の電極における劣化の進行状況を検知する劣化検知部と、前記進行検知部によって検知された劣化の進行状況に応じて、前記変調増強部による前記変調比率の増加を抑制する変調抑制部とを備えても良い。適用例３の駆動装置によれば、劣化の進行状況で異なる溶融特性に合わせて、第１および第２の電極の表面形状を補修することができる。
【００１１】
［適用例４］  適用例１ないし適用例３のいずれかの駆動装置は、更に、前記電流変調部によって前記交番電流を変調させている間に、前記変形検知部によって前記表面形状の変形が検知されない場合、前記電流変調部によって変調された交番電流を元に戻す電流復調部を備えても良い。適用例４の駆動装置によれば、第１および第２の電極の溶融過剰を防止することができる。
【００１２】
［適用例５］  適用例１ないし適用例４のいずれかの駆動装置において、前記電流変調部は、前記第１および第２の電極における一方の電極が陽極として動作する陽極期間中に該電極に供給される電力エネルギを増加させる第１の変調部を含むとしても良い。適用例５の駆動装置によれば、一方の電極における表面を選択的に溶融させることができる。
【００１３】
［適用例６］  適用例５の駆動装置において、前記第１の変調部は、前記一方の電極が陽極として動作する陽極期間の延長、前記陽極期間中に前記一方の電極に供給される電流値の増加のうち少なくとも一方を実行することによって、前記一方の電極に供給される電力エネルギを増加させても良い。適用例６の駆動装置によれば、一方の電極に供給される電力エネルギを比較的に容易な制御によって増加させることができる。
【００１４】
［適用例７］  適用例１ないし適用例６のいずれかの駆動装置において、前記電流変調部は、前記第１および第２の電極における一方の電極が陽極として動作する陽極期間中に該電極に供給される電力エネルギを該陽極期間の後半に偏在させる第２の変調部を含むとしても良い。適用例７の駆動装置によれば、一方の電極における表面を選択的に溶融させることができる。
【００１５】
［適用例８］  適用例１ないし適用例７のいずれかの駆動装置において、前記電流制御部は、前記第１および第２の電極がそれぞれ陽極として動作する陽極期間の比率である陽極デューティ比を上下に繰り返し変動させると共に、該陽極デューティ比の上下の切り替わりに同期して、前記交番電流の極性を交互に切り替える極性切替周期を伸縮させることによって、前記点灯回路から供給される交番電流を制御しても良い。適用例８の駆動装置によれば、突起部の成長を促進させる陽極デューティ比の増加および極性切替周期の短縮を、第１および第２の電極の特性に応じて制御することによって、突起部の縮小や消失を防止することができる。
【００１６】
［適用例９］  適用例９の光源装置は、光を放出する光源装置であって、第１および第２の電極の間に発生するアーク放電によって発光する放電灯と、前記第１および第２の電極に交番電流を供給する点灯回路と、前記点灯回路から供給される交番電流を制御する電流制御部と、前記第１および第２の電極における表面形状の変形を検知する変形検知部と、前記変形検知部によって前記表面形状の変形が検知された場合、前記電流制御部によって制御される交番電流を変調させる電流変調部と、前記電流変調部によって前記交番電流を変調させている間に、前記変形検知部によって前記表面形状の変形が検知された場合、前記電流変調部が前記交番電流を変調させる変調比率を増加させる変調増強部とを備えることを特徴とする。適用例９の光源装置によれば、第１および第２の電極の溶融不足および溶融過剰を防止しながら、第１および第２の電極を補修することができる。
【００１７】
［適用例１０］  適用例１０のプロジェクタは、映像を投影するプロジェクタであって、前記映像を表現する投影光の光源として、第１および第２の電極の間に発生するアーク放電によって発光する放電灯と、前記第１および第２の電極に交番電流を供給する点灯回路と、前記点灯回路から供給される交番電流を制御する電流制御部と、前記第１および第２の電極における表面形状の変形を検知する変形検知部と、前記変形検知部によって前記表面形状の変形が検知された場合、前記電流制御部によって制御される交番電流を変調させる電流変調部と、前記電流変調部によって前記交番電流を変調させている間に、前記変形検知部によって前記表面形状の変形が検知された場合、前記電流変調部が前記交番電流を変調させる変調比率を増加させる変調増強部とを備えることを特徴とする。適用例１０のプロジェクタによれば、第１および第２の電極の溶融不足および溶融過剰を防止しながら、第１および第２の電極を補修することができる。
【００１８】
［適用例１１］  適用例１１の駆動方法は、第１および第２の電極の間に発生するアーク放電によって発光する放電灯を駆動する駆動方法であって、前記第１および第２の電極に交番電流を供給し、前記第１および第２の電極における表面形状の変形を検知し、前記表面形状の変形を検知した場合、前記第１および第２の電極に供給される交番電流を変調させ、前記交番電流を変調させている間に、前記表面形状の変形を検知した場合、前記交番電流を変調させる変調比率を増加させることを特徴とする。適用例１１の駆動方法によれば、第１および第２の電極の溶融不足および溶融過剰を防止しながら、第１および第２の電極を補修することができる。
【００１９】
本発明の形態は、駆動装置、光源装置、プロジェクタ、駆動方法に限るものではなく、例えば、プロジェクタを備えるシステム、放電灯を駆動する機能をコンピュータに実現させるためのプログラムなどの他の形態に適用することもできる。また、本発明は、前述の形態に何ら限定されるものではなく、本発明の趣旨を逸脱しない範囲内において様々な形態で実施し得ることは勿論である。
【発明を実施するための最良の形態】
【００２０】
以上説明した本発明の構成および作用を一層明らかにするために、以下本発明を適用した投影装置であるプロジェクタについて説明する。
【００２１】
Ａ．実施例：
Ａ１．プロジェクタの構成：
図１は、プロジェクタ１０の構成を主に示す説明図である。プロジェクタ１０は、映像をスクリーン８０に投影する。スクリーン８０は、映像が表示される平面であり、映写幕であっても良いし、壁面であっても良い。
【００２２】
プロジェクタ１０は、光源装置２０と、投影光学系３０と、投射光学系４０とを備える。プロジェクタ１０の光源装置２０は、光源として光を放出し、光源装置２０から放出された光は、投影光学系３０に供給される。光源装置２０の詳細については後述する。
【００２３】
プロジェクタ１０の投影光学系３０は、光源装置２０から供給される光から、映像を表現する投影光を生成する。投影光学系３０によって生成された投影光は、投射光学系４０に送出される。本実施例では、投影光学系３０は、色分離合成光学系であり、光源装置２０から供給された光を、赤色光，緑色光，青色光に分離し、三つの空間光変調器でそれぞれ変調した後、これらの光を再び一つの光に合成することによって投影光を生成する。本実施例では、空間光変調器の数は三つであるが、他の実施形態において、三つ以下であっても良いし、三つ以上であっても良い。本実施例では、空間光変調器は、透過光を変調させる透過型液晶パネルであるが、他の実施形態において、反射光を変調させる反射型液晶パネルを用いても良いし、デジタル・マイクロ・ミラーデバイス（Digital Micromirror Device、ＤＭＤ（登録商標））を始めとするマイクロミラー型光変調装置を用いても良い。
【００２４】
プロジェクタ１０の投射光学系４０は、投影光学系３０で生成された投影光をスクリーン８０に投射する。本実施例では、投射光学系４０は、フロントレンズ，ズームレンズ，マスタレンズ，フォーカスレンズなどの複数のレンズを配列した投射レンズユニットである。なお、投射光学系４０は、投射レンズユニットに限るものではなく、非球面レンズ，拡大レンズ，拡散ガラス，非球面ミラー，反射ミラーの少なくとも一つを用いて、投影光学系３０で生成された投影光をスクリーン８０へ反射させる光学系であっても良い。
【００２５】
Ａ２．光源装置の詳細構成：
図２は、プロジェクタ１０における光源装置２０の詳細構成を示す説明図である。光源装置２０は、光源ユニット２１０と、駆動装置６００とを備える。光源装置２０の光源ユニット２１０は、主反射鏡２１２と、副反射鏡２１４と、放電灯５００とを備える。
【００２６】
光源ユニット２１０の放電灯５００は、発光管５１０と、電極５２０ａ，５２０ｂと、導電部材５３０ａ，５３０ｂと、電極端子５４０ａ，５４０ｂとを備える。放電灯５００は、駆動装置６００によって駆動され、第１の電極である電極５２０ａと、第２の電極である電極５２０ｂとの間に発生するアーク放電によって発光する。駆動装置６００の詳細は後述する。
【００２７】
放電灯５００の発光管５１０は、透光性を有し中央部が球状に膨出した石英ガラス管であり、発光管５１０の中央部には、希ガス，水銀，金属ハロゲン化合物などの放電媒体を含むガスが封入される放電空間部５１２が形成されている。
【００２８】
放電灯５００の電極５２０ａ，５２０ｂは、発光管５１０の放電空間部５１２に離間して配置され、発光管５１０の放電空間部５１２の内部にアーク放電を発生させる。本実施例では、電極５２０ａ，５２０ｂは、タングステン製である。電極５２０ａ，５２０ｂの詳細については後述する。
【００２９】
放電灯５００の導電部材５３０ａは、電極５２０ａと電極端子５４０ａとを電気的に接続する導電体であり、放電灯５００の導電部材５３０ｂは、電極５２０ｂと電極端子５４０ｂとを電気的に接続する導電体である。本実施例では、導電部材５３０ａ，５３０ｂは、モリブデン箔であり、発光管５１０に封止されている。
【００３０】
放電灯５００の電極端子５４０ａ，５４０ｂは、駆動装置６００から供給される交番電流を電極５２０ａ，５２０ｂに導入する導電体であり、発光管５１０の両端部にそれぞれ設けられている。
【００３１】
光源ユニット２１０の主反射鏡２１２は、凹面状の反射面を有する。主反射鏡２１２は、放電灯５００における電極５２０ａ側の端部に設けられ、放電灯５００から放出された光を投影光学系３０へと反射させる。本実施例では、主反射鏡２１２の反射面は、回転楕円形であるが、他の実施形態において、回転放物形であっても良い。本実施例では、主反射鏡２１２は、石英ガラス製であるが、他の実施形態において、結晶化ガラス製であっても良い。
【００３２】
光源ユニット２１０の副反射鏡２１４は、主反射鏡２１２よりも小さな半球状の反射面を有する。副反射鏡２１４は、放電灯５００における放電空間部５１２が形成された中央部の電極５２０ｂ側に設けられ、放電灯５００から放出された光のうち電極５２０ｂ側に放出された光を主反射鏡２１２へと反射させる。本実施例では、副反射鏡２１４は、石英ガラス製であるが、他の実施形態において、結晶化ガラス製であっても良い。
【００３３】
図３は、電極５２０ａ，５２０ｂの詳細構成を示す説明図である。電極５２０ａ，５２０ｂは、軸部５２１ａ，５２１ｂと、コイル部５２３ａ，５２３ｂと、塊状部５２４ａ，５２４ｂと、突起部５２６ａ，５２６ｂとを備える。軸部５２１ａ，５２１ｂは、他方の電極５２０ｂ，５２０ａに向けて延びた棒状のタングステン製部材である。軸部５２１ａ，５２１ｂの先端にタングステン製線材を巻き付け、その先端を加熱・溶融することによって、タングステン製線材のうち不完全に溶融された部分がコイル部５２３ａ，５２３ｂとして形成され、タングステン製線材のうち完全に溶融した部分が塊状部５２４ａ，５２４ｂとして形成される。塊状部５２４ａ，５２４ｂは、他方の電極５２０ｂ，５２０ａに対向する軸部５２１ａ，５２１ｂの先端に形成され、軸部５２１ａ，５２１ｂよりも大きな径を有する。突起部５２６ａ，５２６ｂは、他方の電極５２０ｂ，５２０ａに近接して塊状部５２４ａ，５２４ｂに形成され、他方の電極５２０ｂ，５２０ａに向けて突出する。
【００３４】
図４は、電極５２０ａに凹凸５２９が形成された様子を示す説明図である。図４では、電極５２０ａに凹凸５２９が形成された様子を示すが、電極５２０ｂについても同様に凹凸５２９が形成される。一般に、放電灯５００を点灯させる累積時間の増加に伴って、電極５２０ａ，５２０ｂにおける突起部５２６ａ，５２６ｂの表面には、突起部５２６ａ，５２６ｂよりも小さな凹凸５２９が形成される。凹凸５２９によって突起部５２６ａ，５２６ｂが変形すると、電極５２０ａ，５２０ｂの間に発生するアークの起点が凹凸５２９に移動してフリッカやアークジャンプが発生する。本実施例では、電極５２０ａ，５２０ｂの突起部５２６ａ，５２６ｂに凹凸５２９が形成された場合には、駆動装置６００によって電極５２０ａ，５２０ｂに供給される交番電流が変調される。これによって、放電灯５００を点灯させた状態で凹凸５２９を溶融させて、突起部５２６ａ，５２６ｂを補修することができる。
【００３５】
Ａ３．駆動装置の詳細構成：
図５は、光源装置２０における駆動装置６００の詳細構成を主に示す説明図である。駆動装置６００は、駆動制御部６１０と、点灯回路６２０と、変形センサ６３２と、劣化センサ６３４とを備える。
【００３６】
駆動装置６００の点灯回路６２０は、放電灯５００を起動させるイグナイタ回路や、放電灯５００を駆動する交番電流を生成するインバータ回路を備える電気回路であり、駆動制御部６１０からの指示に基づいて、放電灯５００の電極５２０ａ，５２０ｂに交番電流を供給する。
【００３７】
駆動装置６００の駆動制御部６１０は、点灯回路６２０の動作を制御する電気回路であり、起動制御部７１１と、電流制御部７１２と、変形検知部７２２と、劣化検知部７２４と、電流変調部７３２と、変調増強部７３３と、変調抑制部７３４と、電流復調部７３６とを備える。
【００３８】
駆動制御部６１０の起動制御部７１１は、点灯回路６２０に制御信号を出力することによって、放電灯５００を起動させる制御を実行する。駆動制御部６１０の電流制御部７１２は、起動制御部７１１によって放電灯５００が起動した後、点灯回路６２０に制御信号を出力することによって、点灯回路６２０から供給される交番電流を通常モードで制御する。通常モードにおける交番電流の詳細については後述する。
【００３９】
駆動制御部６１０の変形検知部７２２は、電極５２０ａ，５２０ｂにおける表面形状の変形、すなわち、電極５２０ａ，５２０ｂに形成された凹凸５２９による突起部５２６ａ，５２６ｂの変形を、変形センサ６３２からの出力信号に基づいて検知する。本実施例では、変形センサ６３２は、電極５２０ａ，５２０ｂに供給される交番電流を検知する電流センサであり、変形検知部７２２は、凹凸５２９によって発生したフリッカやアークジャンプによる電流値の変動を、電極５２０ａ，５２０ｂにおける表面形状の変形として検知する。他の実施形態において、変形センサ６３２に撮像センサを用いて、画像分析に基づいて電極５２０ａ，５２０ｂの変形を検知しても良いし、変形センサ６３２に照度センサを用いて、放電灯５００から放出される照度の変動に基づいて電極５２０ａ，５２０ｂの変形を検知しても良い。
【００４０】
駆動制御部６１０の電流変調部７３２は、変形検知部７２２によって突起部５２６ａ，５２６ｂの変形が検知された場合、電流制御部７１２によって制御される通常モードの交番電流を変調させることによって、点灯回路６２０から供給される交番電流を補修モードで制御する。電流変調部７３２による補修モードは、電極５２０ａ，５２０ｂに供給される交番電流を変調させることによって、放電灯５００を点灯させた状態で凹凸５２９を溶融させて突起部５２６ａ，５２６ｂを補修するモードである。補修モードにおける交番電流の詳細については後述する。
【００４１】
駆動制御部６１０の変調増強部７３３は、電流変調部７３２によって交番電流を変調させている間に、変形検知部７２２によって突起部５２６ａ，５２６ｂの変形が検知された場合、電流変調部７３２が通常モードから補修モードへと交番電流を変調させる比率である変調比率を増加させる。
【００４２】
駆動制御部６１０の劣化検知部７２４は、電極５２０ａ，５２０ｂにおける劣化の進行状況を、劣化センサ６３４からの出力信号に基づいて検知する。本実施例では、劣化センサ６３４は、電極５２０ａ，５２０ｂ間の電圧を検知する電圧センサであり、劣化検知部７２４は、電極５２０ａ，５２０ｂ間の電圧に基づいて、電極５２０ａ，５２０ｂの劣化の進行状況を検知する。一般に、放電灯５００を点灯させる累積時間の増加に伴って、電極５２０ａ，５２０ｂの先端部は消耗する。電極５２０ａ，５２０ｂの先端部が消耗すると、電極５２０ａ，５２０ｂ間の距離が増大し、電極５２０ａ，５２０ｂ間の電圧は上昇する。他の実施形態において、劣化センサ６３４にタイマを用いて、放電灯５００を点灯した累積時間に基づいて電極５２０ａ，５２０ｂにおける劣化の進行状況を検知しても良い。
【００４３】
駆動制御部６１０の変調抑制部７３４は、劣化検知部７２４によって検知された劣化の進行状況に応じて、変調増強部７３３による変調比率の増加を抑制する。
【００４４】
駆動制御部６１０の電流復調部７３６は、電流変調部７３２によって交番電流を変調させている間に、変形検知部７２２によって電極５２０ａ，５２０ｂの変形が検知されない場合、電流変調部７３２によって変調された交番電流を元に戻す。すなわち、電流復調部７３６は、補修モード中に電極５２０ａ，５２０ｂの突起部５２６ａ，５２６ｂが補修された場合、電極５２０ａ，５２０ｂに供給される交流電流を制御するモードを、補修モードから通常モードに変更する。
【００４５】
本実施例では、駆動制御部６１０は、種々の演算処理を実行するセントラルプロセッシングユニット（Central Processing Unit、以下、ＣＰＵという）６１２と、ＣＰＵ６１２によって処理されるデータを記憶するメモリ６１４と、駆動制御部６１０の外部とデータをやり取りするインタフェース６１６とを備える。本実施例では、起動制御部７１１、電流制御部７１２、変形検知部７２２、劣化検知部７２４、電流変調部７３２、変調増強部７３３、変調抑制部７３４、電流復調部７３６の各機能は、メモリ６１４に記憶されたソフトウェアに基づいてＣＰＵ６１２が動作することによって実現されるが、他の実施形態として、駆動制御部６１０の電子回路がその物理的な回路構成に基づいて動作することによって実現されても良い。
【００４６】
Ａ４．プロジェクタの動作：
図６は、駆動装置６００が実行する点灯処理（ステップＳ１０）を示すフローチャートである。点灯処理（ステップＳ１０）は、放電灯５００を点灯する処理である。本実施例では、プロジェクタ１０の電源が投入された場合に、駆動装置６００の駆動制御部６１０は、点灯処理（ステップＳ１０）を開始する。
【００４７】
駆動制御部６１０は、点灯処理（ステップＳ１０）を開始すると、起動制御処理（ステップＳ１００）を実行する。起動制御処理（ステップＳ１００）において、駆動制御部６１０は、点灯回路６２０に制御信号を出力することによって、放電灯５００を起動させる制御を実行する。
【００４８】
起動制御処理（ステップＳ１００）によって放電灯５００が起動した後、駆動制御部６１０は、電流制御処理（ステップＳ２００）を実行する。電流制御処理（ステップＳ２００）において、駆動制御部６１０は、点灯回路６２０に制御信号を出力することによって、点灯回路６２０から供給される交番電流を通常モードで制御する。
【００４９】
図７は、通常モードにおいて電極５２０ａに供給される交番電流の一例を示す説明図である。図７では、電極５２０ａが陽極として動作する電流値に正の値をとり、電極５２０ａが陰極として動作する電流値に負の値をとることによって、通常モードにおいて電極５２０ａに供給される交番電流を示す。電極５２０ａが陽極として動作する間、電極５２０ｂは陰極として動作し、電極５２０ａは陰極として動作する間、電極５２０ｂは陽極として動作する。つまり、電極５２０ｂに供給される交番電流は、電極５２０ａに供給される交番電流の正負を反転させた態様を示す。
【００５０】
通常モードにおいて電極５２０ａ，５２０ｂに供給される交番電流は、図７に示すように、絶対値が同じで正負が異なる正の電流値「Ｃ１」と負の電流値「−Ｃ１」との間で極性が規則的に切り替わる矩形波である。本実施例では、通常モードにおいて、交番電流の極性が交互に切り替わる極性切替周期は、時間Ｔｓで一定である。本実施例では、通常モードにおいて、電極５２０ａが陽極として動作する陽極期間は、時間Ｔｐで一定であり、電極５２０ａが陰極として動作する陰極期間は、時間Ｔｎで一定であり、時間Ｔｐと時間Ｔｎは同じ長さである。すなわち、通常モードでは、電極５２０ａの陽極期間が極性切替周期に占める比率である陽極デューティ比は、５０％である。
【００５１】
図６の説明に戻り、電流制御処理（ステップＳ２００）によって点灯回路６２０から供給される交番電流が通常モードで制御されている間に、駆動制御部６１０は、変形検知処理（ステップＳ２１０）を実行する。変形検知処理（ステップＳ２１０）において、駆動制御部６１０は、電極５２０ａ，５２０ｂに形成された凹凸５２９による突起部５２６ａ，５２６ｂの変形を、変形センサ６３２からの出力信号に基づいて検知する。変形検知処理（ステップＳ２１０）において突起部５２６ａ，５２６ｂの変形が検知されない場合（ステップＳ２２０：「ＮＯ」）、駆動制御部６１０は、電流制御処理（ステップＳ２００）を継続して実行する。
【００５２】
一方、変形検知処理（ステップＳ２１０）において突起部５２６ａ，５２６ｂの変形が検知された場合（ステップＳ２２０：「ＹＥＳ」）、駆動制御部６１０は、電流変調処理（ステップＳ３００）を実行する。電流変調処理（ステップＳ３００）において、駆動制御部６１０は、電流制御処理（ステップＳ１００）によって制御される通常モードの交番電流を変調させることによって、点灯回路６２０から供給される交番電流を補修モードで制御する。本実施例では、補修モードにおいて、駆動制御部６１０は、電極５２０ａ，５２０ｂのうち変形が検知された変形電極の陽極期間が極性切替周期に占める陽極デューティ比を増加させることによって、その変形電極の温度を上昇させる。その結果、変形電極に形成された凹凸５２９が溶融することによって、突起部５２６ａ，５２６ｂが補修される。
【００５３】
図８は、補修モードにおいて電極５２０ａに供給される交番電流の一例を示す説明図である。図８では、図７と同様に正負の値をとることによって、補修モードにおいて電極５２０ａに供給される交番電流を示す。電極５２０ｂに供給される交番電流は、電極５２０ａに供給される交番電流の正負を反転させた態様を示す。
【００５４】
図８に示す補修モードの交番電流は、電極５２０ａの突起部５２６ａを補修するために、電極５２０ａの陽極期間が極性切替周期に占める陽極デューティ比を増加させている点を除き、図７に示した通常モードの交番電流と同様である。図８の補修モードでは、図７の通常モードと比較して、電極５２０ａが陽極として動作する陽極期間は、時間Ｔｐから時間Ｔｐｃに延長し、電極５２０ａが陰極として動作する陰極期間は、陽極期間が増加した分だけ時間Ｔｎから時間Ｔｎｃに短縮している。すなわち、図８の補修モードでは、電極５２０ａの陽極期間が極性切替周期に占める陽極デューティ比は、５０％を超える。これによって、電極５２０ａの陽極期間中に電極５２０ａに供給される電力エネルギは、通常モードよりも補修モードの方が大きくなる。なお、電極５２０ａを補修する場合ではなく、電極５２０ｂを補修する場合には、電極５２０ａの陽極期間が極性切替周期に占める陽極デューティ比を減少させて、電極５２０ｂの陽極期間が極性切替周期に占める陽極デューティ比を増加させる。本実施例では、通常モードから補修モードに移行する場合、電極５２０ａ，５２０ｂのうち変形が検知された変形電極の陽極デューティ比は、５５％に設定される。
【００５５】
図６の説明に戻り、電流変調処理（ステップＳ３００）によって点灯回路６２０から供給される交番電流が変調モードで制御されている間に、駆動制御部６１０は、変形検知処理（ステップＳ３１０）を実行する。変形検知処理（ステップＳ３１０）において、駆動制御部６１０は、電極５２０ａ，５２０ｂに形成された凹凸５２９による突起部５２６ａ，５２６ｂの変形を、変形センサ６３２からの出力信号に基づいて検知する。
【００５６】
変形検知処理（ステップＳ３１０）において突起部５２６ａ，５２６ｂの変形が検知されない場合、すなわち補修モード中に電極５２０ａ，５２０ｂの突起部５２６ａ，５２６ｂが補修された場合（ステップＳ３２２：「ＮＯ」）、駆動制御部６１０は、電流復調処理（ステップＳ３２０）を実行する。電流復調処理（ステップＳ３２０）において、駆動制御部６１０は、電流変調処理（ステップＳ３００）による補修モードから電流制御処理（ステップＳ２００）による通常モードへと制御モードを移行する。
【００５７】
一方、変形検知処理（ステップＳ３１０）において突起部５２６ａ，５２６ｂの変形が検知された場合、すなわち補修モード中に電極５２０ａ，５２０ｂの突起部５２６ａ，５２６ｂが補修されていない場合（ステップＳ３２２：「ＹＥＳ」）、駆動制御部６１０は、変調増強処理（ステップＳ５００）を実行する。変調増強処理（ステップＳ５００）において、駆動制御部６１０は、通常モードから補修モードへと交番電流を変調させる比率である変調比率を増加させる。本実施例では、変調増強処理（ステップＳ５００）において、電極５２０ａ，５２０ｂのうち変形が検知された変形電極の陽極デューティ比は、変形検知処理（ステップＳ３１０）で変形が検知される毎に１％ずつ増加される。
【００５８】
電流変調処理（ステップＳ３００）によって点灯回路６２０から供給される交番電流が変調モードで制御されている間に、駆動制御部６１０は、劣化検知処理（ステップＳ４１０）を実行する。劣化検知処理（ステップＳ４１０）において、駆動制御部６１０は、電極５２０ａ，５２０ｂにおける劣化の進行状況を、劣化センサ６３４からの出力信号に基づいて検知する。本実施例では、劣化検知処理（ステップＳ４１０）において、駆動制御部６１０は、劣化センサ６３４からの出力信号に基づいて電極５２０ａ，５２０ｂの余命を算出し、余命が想定寿命の半分を超える電極５２０ａ，５２０ｂを「初期品」と判断し、余命期間が想定寿命の半分に満たない電極５２０ａ，５２０ｂを「劣化品」と判断する。
【００５９】
劣化検知処理（ステップＳ４１０）の後、駆動制御部６１０は、変調抑制処理（ステップＳ４２０）を実行する。変調抑制処理（ステップＳ４２０）において、駆動制御部６１０は、劣化検知処理（ステップＳ４１０）で検知された劣化の進行状況に応じて、変調増強処理（ステップＳ５００）による変調比率の増加を抑制する。
【００６０】
図９は、陽極デューティ比を変化させて電極５２０ａ，５２０ｂに交番電流を供給した実験結果を示す説明図である。図９の実験では、余命が想定寿命の半分を超える「初期品」の電極５２０ａ，５２０ｂと、余命期間が想定寿命の半分に満たない「劣化品」の電極５２０ａ，５２０ｂとを準備し、陽極デューティ比を変化させた交番電流を供給して、これらの電極が溶融する状態を観察した。
【００６１】
陽極デューティ比が５０％の場合、初期品および劣化品の双方で、突起部５２６ａ，５２６ｂは溶融しなかった。陽極デューティ比が５５％の場合、初期品では、突起部５２６ａ，５２６ｂの表面が溶融し突起部５２６ａ，５２６ｂに発生した凹凸５２９が無くなるが、アークの放電起点が定まらなくなるような突起部５２６ａ，５２６ｂ自体の形状変化は見られなかったのに対し、劣化品では、凹凸５２９を無くすような突起部５２６ａ，５２６ｂの溶融はなかった。陽極デューティ比が６０％の場合、初期品および劣化品の双方で、突起部５２６ａ，５２６ｂの表面が溶融し突起部５２６ａ，５２６ｂに発生した凹凸５２９が無くなるが、アークの放電起点が定まらなくなるような突起部５２６ａ，５２６ｂ自体の形状変化は見られなかった。陽極デューティ比が６５％の場合、初期品では、凹凸５２９の溶融だけでなく突起部５２６ａ，５２６ｂに溶融による補修可能な形状変化が観察されアークの放電起点が定まらなくなったりアークの長さが所望以上に長くなったりするような状態になり始めたのに対し、劣化品では、突起部５２６ａ，５２６ｂの表面が溶融し突起部５２６ａ，５２６ｂに発生した凹凸５２９が無くなるが、アークの放電起点が定まらなくなるような突起部５２６ａ，５２６ｂ自体の形状変化は見られなかった。陽極デューティ比が７０％の場合、初期品では、アークの放電起点が定まらなくなるばかりでなく後段の光学系での光利用効率が低下するくらいアークが長くなる程に突起部５２６ａ，５２６ｂに溶融による補修不可能な形状変化が観察されたのに対し、劣化品では、凹凸５２９の溶融だけでなく突起部５２６ａ，５２６ｂに溶融による補修可能な形状変化が観察されアークの放電起点が定まらなくなったりアークの長さが所望以上に長くなったりするような状態になり始めた。
【００６２】
本実施例では、図９に示した実験結果に基づいて、変調抑制処理（ステップＳ４２０）において、駆動制御部６１０は、劣化検知処理（ステップＳ４１０）で初期品と判断された場合、変調増強処理（ステップＳ５００）による陽極デューティ比の増加を６０％まで許容し、劣化検知処理（ステップＳ４１０）で劣化品と判断された場合、変調増強処理（ステップＳ５００）による陽極デューティ比の増加を６５％まで許容する。
【００６３】
Ａ５．効果：
以上説明した駆動装置６００によれば、補修モードにおいて変調増強処理（ステップＳ５００）を実行することによって、電極５２０ａ，５２０ｂの突起部５２６ａ，５２６ｂの変形に応じて、電極５２０ａ，５２０ｂに供給される交番電流の変調比率を増加させることができる。これによって、突起部５２６ａ，５２６ｂの溶融不足および溶融過剰を防止しながら、凹凸５２９によって変形した突起部５２６ａ，５２６ｂを補修することができる。その結果、放電灯５００の長寿命化を図ることができる。
【００６４】
また、変調抑制処理（ステップＳ４２０）によって、電極５２０ａ，５２０ｂの劣化の進行状況に応じて、電極５２０ａ，５２０ｂに供給される交番電流の変調比率の増加を抑制することから、劣化の進行状況で異なる溶融特性に合わせて、電極５２０ａ，５２０ｂの突起部５２６ａ，５２６ｂを補修することができる。
【００６５】
また、補修モードにおいて電流復調処理（ステップＳ３２０）を実行することによって、電極５２０ａ，５２０ｂの突起部５２６ａ，５２６ｂが補修された場合に補修モードから通常モードに制御モードを移行することから、突起部５２６ａ，５２６ｂの溶融過剰を防止することができる。
【００６６】
Ｂ．第１変形例：
第１変形例の駆動装置６００は、補修モードにおいて変調される交番電流の波形が異なる点以外は、前述した実施例と同様である。
【００６７】
図１０は、第１変形例の補修モードにおいて電極５２０ａに供給される交番電流の一例を示す説明図である。図１０では、図７と同様に正負の値をとることによって、補修モードにおいて電極５２０ａに供給される交番電流を示す。電極５２０ｂに供給される交番電流は、電極５２０ａに供給される交番電流の正負を反転させた態様を示す。
【００６８】
図１０に示す補修モードの交番電流は、電極５２０ａの突起部５２６ａを補修するために、電極５２０ａの陽極期間中に電極５２０ａに供給される電力エネルギを陽極期間の後半に偏在させている点を除き、図７に示した通常モードの交番電流と同様である。図１０の補修モードでは、陽極期間、陰極期間、極性切替周期の各値は、図７の通常モードにおける各値と同じであり、陽極期間中に電極５２０ａに供給される電力エネルギも、図７の通常モードと同じであるが、陽極期間における電流値は、電流値「Ｃ１」より小さな電流値「Ｃａ」から、電流値「Ｃ１」より大きな電流値「Ｃｂ」へと漸増する。なお、電極５２０ａを補修する場合ではなく、電極５２０ｂを補修する場合には、電極５２０ｂの陽極期間中に電極５２０ｂに供給される電力エネルギを陽極期間の後半に偏在させる。
【００６９】
本実施例では、通常モードから補修モードに移行する場合、陽極期間を開始する電流値「Ｃａ」と陽極期間を終了する電流値「Ｃｂ」との偏重比は、２０％に設定される。本実施例では、変調増強処理（ステップＳ５００）において、陽極期間を開始する電流値「Ｃａ」と陽極期間を終了する電流値「Ｃｂ」との偏重比は、変形検知処理（ステップＳ３１０）で変形が検知される毎に１％ずつ増加される。
【００７０】
図１１は、陽極期間の偏重比を変化させて電極５２０ａ，５２０ｂに交番電流を供給した実験結果を示す説明図である。図１１の実験では、余命が想定寿命の半分を超える「初期品」の電極５２０ａ，５２０ｂと、余命期間が想定寿命の半分に満たない「劣化品」の電極５２０ａ，５２０ｂとを準備し、陽極期間の偏重比を変化させた交番電流を供給して、これらの電極が溶融する状態を観察した。
【００７１】
偏重比が０％、５％、１０％、１５％の場合、初期品および劣化品の双方で、突起部５２６ａ，５２６ｂは溶融しなかった。偏重比が２０％の場合、初期品では、突起部５２６ａ，５２６ｂの表面が溶融し突起部５２６ａ，５２６ｂに発生した凹凸５２９が無くなるが、アークの放電起点が定まらなくなるような突起部５２６ａ，５２６ｂ自体の形状変化は見られなかったのに対し、劣化品では、凹凸５２９を無くすような突起部５２６ａ，５２６ｂの溶融はなかった。偏重比が２５％、３０％の場合、初期品および劣化品の双方で、突起部５２６ａ，５２６ｂの表面が溶融し突起部５２６ａ，５２６ｂに発生した凹凸５２９が無くなるが、アークの放電起点が定まらなくなるような突起部５２６ａ，５２６ｂに形状変化は見られなかった。偏重比が３０％を超えると、放電灯５００から放出される光にスクロールノイズが発生するため、放電灯５００を正常に点灯させた状態で突起部５２６ａ，５２６ｂを補修することができなかった。
【００７２】
第１変形例では、図１１に示した実験結果に基づいて、変調抑制処理（ステップＳ４２０）において、駆動制御部６１０は、初期品および劣化品の双方の電極５２０ａ，５２０ｂについて、変調増強処理（ステップＳ５００）による陽極期間の偏重比の増加を３０％まで許容する。第１変形例では、初期品および劣化品の双方の電極５２０ａ，５２０ｂについて、偏重比の増加を３０％に制限することから、劣化検知処理（ステップＳ４１０）を省略しても良い。
【００７３】
以上説明した第１変形例の駆動装置６００によれば、前述した実施例と同様に、突起部５２６ａ，５２６ｂの溶融不足およびスクロールノイズを防止しながら、凹凸５２９によって変形した突起部５２６ａ，５２６ｂを補修することができる。
【００７４】
Ｃ．第２変形例：
第２変形例の駆動装置６００は、補修モードにおいて変調される交番電流の波形が異なる点以外は、前述した実施例と同様である。
【００７５】
図１２は、第２変形例の補修モードにおいて電極５２０ａに供給される交番電流の一例を示す説明図である。図１２では、図７と同様に正負の値をとることによって、補修モードにおいて電極５２０ａに供給される交番電流を示す。電極５２０ｂに供給される交番電流は、電極５２０ａに供給される交番電流の正負を反転させた態様を示す。
【００７６】
図１２に示す補修モードの交番電流は、電極５２０ａの突起部５２６ａを補修するために、電極５２０ａの陽極期間中に電極５２０ａに供給される電力エネルギを増加させている点を除き、図７に示した通常モードの交番電流と同様である。図１２の補修モードでは、陽極期間、陰極期間、極性切替周期の各値は、図７の通常モードにおける各値と同じであるが、陽極期間における電流値は、電流値「Ｃ１」より大きな電流値「Ｃ２」に増加される。なお、電極５２０ａを補修する場合ではなく、電極５２０ｂを補修する場合には、電極５２０ｂの陽極期間中に電極５２０ｂに供給される電流値を増加させる。
【００７７】
本実施例では、通常モードから補修モードに移行する場合、陽極期間中に供給される電流値「Ｃ１」を電流値「Ｃ２」に増加させる増加率は、２０％に設定される。本実施例では、変調増強処理（ステップＳ５００）において、陽極期間中に供給される電流値「Ｃ１」を電流値「Ｃ２」に増加させる増加率は、変形検知処理（ステップＳ３１０）で変形が検知される毎に１％ずつ増加される。
【００７８】
以上説明した第２変形例の駆動装置６００によれば、前述した実施例と同様に、突起部５２６ａ，５２６ｂの溶融不足および溶融過剰を防止しながら、凹凸５２９によって変形した突起部５２６ａ，５２６ｂを補修することができる。
【００７９】
Ｄ．第３変形例：
第３変形例の駆動装置６００は、通常モードにおける交番電流の波形が異なる点以外は、前述した実施例と同様である。第３変形例では、駆動制御部６１０は、通常モードにおいて、陽極デューティ比を上下（増減）に繰り返し変動させると共に、この陽極デューティ比の上下の切り替わりに同期して、極性切替周期を伸縮させることによって、点灯回路６２０から供給される交番電流を制御する。陽極デューティ比の増加および極性切替周期の短縮は、電極５２０ａ，５２０ｂにおける突起部５２６ａ，５２６ｂの成長を促進させる。このことから、第３変形例の通常モードでは、電極５２０ａ，５２０ｂの特性に応じて制御することによって、突起部５２６ａ，５２６ｂの縮小や消失を防止することができる。
【００８０】
図１３は、第３変形例の通常モードにおいて陽極デューティ比および駆動周波数を変動させる様子の一例を示す説明図である。図１３では、陽極デューティ比は、電極５２０ａの陽極期間が極性切替周期に占める比率を示し、駆動周波数は、極性切替周期の逆数であり、単位時間あたりに極性が切り替わる回数を示す。第３変形例における通常モードの交番電流は、図７に示した矩形波を、図１３に示した陽極デューティ比および駆動周波数で変調させた波形となる。第３変形例における補修モードの交番電流は、図１３に示した陽極デューティ比および駆動周波数で変調させた矩形波に対して、更に、陽極デューティ比を増加させた波形となる。
【００８１】
図１３に示すように、第３変形例では、陽極デューティ比は、３０％から８０％の間で上下に繰り返し変動し、この陽極デューティ比の変動に同期して、駆動周波数は、１００Ｈｚ（ヘルツ）から２００Ｈｚ間で上下に繰り返し変動する。第３変形例では、電極５２０ｂは、副反射鏡２１４の影響から電極５２０ａよりも蓄熱しやすいため、電極５２０ａが陽極として動作する累積時間を電極５２０ｂよりも長く設定することによって、電極５２０ａ，５２０ｂにおける温度の均一化が図られている。本実施例では、陽極デューティ比が最大値および最小値となるタイミングで、駆動周波数は最小値である１００Ｈｚになり、陽極デューティ比が５０％前後を行き来するタイミングで、駆動周波数は最大値である２００Ｈｚになる。
【００８２】
以上説明した第３変形例の駆動装置６００によれば、前述した実施例と同様に、突起部５２６ａ，５２６ｂの溶融不足および溶融過剰を防止しながら、凹凸５２９によって変形した突起部５２６ａ，５２６ｂを補修することができる。また、突起部５２６ａ，５２６ｂの成長を促進させる陽極デューティ比の増加および極性切替周期の短縮を、電極５２０ａ，５２０ｂの特性に応じて制御することによって、突起部５２６ａ，５２６ｂの縮小や消失を防止することができる。
【００８３】
Ｅ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、補修モードにおいて、通常モードの交番電流を変調させる変調比率は、電極５２０ａ，５２０ｂの特性に応じて適宜変更することができることは勿論である。また、補修モードにおける交番電流の変調は、陽極デューティ比の増加、陽極期間における電流値の増加、陽極期間における電力エネルギの偏在のいずれか一つに限るものではなく、これらの変調を二つ以上組み合わせても良い。
【図面の簡単な説明】
【００８４】
【図１】プロジェクタの構成を主に示す説明図である。
【図２】プロジェクタにおける光源装置の詳細構成を示す説明図である。
【図３】電極の詳細構成を示す説明図である。
【図４】電極に凹凸が形成された様子を示す説明図である。
【図５】光源装置における駆動装置の詳細構成を主に示す説明図である。
【図６】駆動装置が実行する点灯処理を示すフローチャートである。
【図７】通常モードにおいて電極に供給される交番電流の一例を示す説明図である。
【図８】補修モードにおいて電極に供給される交番電流の一例を示す説明図である。
【図９】陽極デューティ比を変化させて電極に交番電流を供給した実験結果を示す説明図である。
【図１０】第１変形例の補修モードにおいて電極に供給される交番電流の一例を示す説明図である。
【図１１】陽極期間の偏重比を変化させて電極に交番電流を供給した実験結果を示す説明図である。
【図１２】第２変形例の補修モードにおいて電極に供給される交番電流の一例を示す説明図である。
【図１３】第３変形例の通常モードにおいて陽極デューティ比および駆動周波数を変動させる様子の一例を示す説明図である。
【符号の説明】
【００８５】
１０…プロジェクタ
２０…光源装置
３０…投影光学系
４０…投射光学系
８０…スクリーン
２１０…光源ユニット
２１２…主反射鏡
２１４…副反射鏡
５００…放電灯
５１０…発光管
５１２…放電空間部
５２０ａ，５２０ｂ…電極
５２１ａ，５２１ｂ…軸部
５２３ａ，５２３ｂ…コイル部
５２４ａ，５２４ｂ…塊状部
５２６ａ，５２６ｂ…突起部
５２９…凹凸
５３０ａ，５３０ｂ…導電部材
５４０ａ，５４０ｂ…電極端子
６００…駆動装置
６１０…駆動制御部
６１２…ＣＰＵ
６１４…メモリ
６１６…インタフェース
６２０…点灯回路
６３２…変形センサ
６３４…劣化センサ
７１１…起動制御部
７１２…電流制御部
７２２…変形検知部
７２４…劣化検知部
７３２…電流変調部
７３３…変調増強部
７３４…変調抑制部
７３６…電流復調部
【図１】
2010146842.tif 000003
【図２】
2010146842.tif 000004
【図３】
2010146842.tif 000005
【図４】
2010146842.tif 000006
【図５】
2010146842.tif 000007
【図６】
2010146842.tif 000008
【図７】
2010146842.tif 000009
【図８】
2010146842.tif 000010
【図９】
2010146842.tif 000011
【図１０】
2010146842.tif 000012
【図１１】
2010146842.tif 000013
【図１２】
2010146842.tif 000014
【図１３】
2010146842.tif 000015